(57)【要約】【課題】  本発明は糸止めを備えたスピニングリールのスプールに関し、スプールに巻回されている釣糸（巻き終わり端部）にスプールの周方向への力が作用しても、釣糸が解けてスプールから不必要に繰り出される虞のないスピニングリールのスプールを提供することを目的とする。【解決手段】  リール本体に対し前後方向へ移動可能に取り付き、リール本体に装着したハンドルの巻取り操作で回転するロータの釣糸案内部を介して、釣糸巻回胴部に釣糸が巻回されるスピニングリールのスプールに於て、上記釣糸巻回胴部の後側の鍔部の外周に環状の弾性体を装着すると共に、当該鍔部に釣糸が嵌入可能な釣糸嵌入部を設け、当該釣糸嵌入部に嵌入した釣糸を上記弾性体で弾性係止したことを特徴とする。【選択図】    図１
2005151940.tif 000002
【特許請求の範囲】
【請求項１】
リール本体に対し前後方向へ移動可能に取り付き、リール本体に装着したハンドルの巻取り操作で回転するロータの釣糸案内部を介して、釣糸巻回胴部に釣糸が巻回されるスピニングリールのスプールに於て、
上記釣糸巻回胴部の後側の鍔部の外周に環状の弾性体を装着すると共に、当該鍔部に釣糸が嵌入可能な釣糸嵌入部を設け、当該釣糸嵌入部に嵌入した釣糸を上記弾性体で弾性係止したことを特徴とするスピニングリールのスプール。
【請求項２】
釣糸嵌入部は、鍔部に設けた貫通孔であることを特徴とする請求項１記載のスピニングリールのスプール。
【請求項３】
鍔部の外周に周溝を設け、当該周溝に環状の弾性体を装着したことを特徴とする請求項１または請求項２に記載のスピニングリールのスプール。
【請求項４】
周溝は、弾性体よりも幅広に形成されると共に、当該周溝に装着された弾性体をスプールとで釣糸を挟持する方向へ移動させるテーパ状に形成されていることを特徴とする請求項３に記載のスピニングリールのスプール。
【発明の詳細な説明】
【技術分野】
【０００１】
本発明は、糸止めを備えたスピニングリールのスプールに関する。
【背景技術】
【０００２】
釣行後や釣場での移動時に、スピニングリールのスプールに巻回された釣糸の巻き終わり端部を糸止めするため、スプールの後側鍔部（スカート部）に糸止め部材を設けたものが知られている（例えば、特許文献１，２参照。）。
図１０及び図１１は特許文献１に開示された糸止め装置を示し、この従来例は、スプール１のスカート部３の周壁に角孔５とこれに連なる凹部７を形成し、当該角孔５と凹部７に角孔９を有する内側糸止め部材１１を嵌合固定して、内側糸止め部材１１の周縁部のスカート部３の外周を凹状に形成（図中、符号１３）すると共に、当該角孔９に、上下逆向きＬ字状に形成された外側糸止め部材１５を貫通させて、その先端に設けた係止片１７の下面を内側糸止め部材１１の上面に当接させたもので、図１０に示すように係止片１７の下面と内側糸止め部材１１の上面との間に釣糸１９を挟み込んで糸止めができるようになっている。
【０００３】
また、図１２及び図１３は特許文献２に開示された糸止め装置を示し、この従来例は、スプール２１のスカート部２３の外周に溝部２５を周方向に沿って設けて、当該溝部２５に、弾性を有する環状の糸止め部材２７を弾性係合させたもので、糸止め部材２７は一部が切り欠かれて釣糸係止部２９が設けられている。
そして、釣糸３１の巻き終わり端部３３を釣糸係止部２９に係止した後、糸止め部材２７を釣糸巻取り方向に移動させることによって、図１３の如く釣糸３１が糸止め部材２７によって糸止めされることとなる。
【特許文献１】実開平５−１３１６６号公報
【特許文献２】特開２００２−３６０１３３号公報
【発明の開示】
【発明が解決しようとする課題】
【０００４】
しかし乍ら、図１０及び図１１の従来例にあっては、内側糸止め部材１１や外側糸止め部材１５等をスプール１のスカート部３に装着しなければならないため、部品点数が多く、また、これらの設置スペースが必要であり、投げ専用スピニングリール等のショートスカートスプールに適用することができなかった。
また、スカート部３にはゴミや異物，魚のヌメリ等が付着するが、これらが係止片１７と内側糸止め部材１１との間に付着して目詰まりしたり汚れてしまう不具合が指摘されている。
【０００５】
一方、図１２及び図１３の従来例にあっては、糸止めされた巻き終わり端部３３がスプール２１の周方向へ係止されていないため、巻き終わり端部３３に釣糸繰出し方向またはスプール２１の周方向への力が作用すると、釣糸３１が解けてスプール２１から不必要に繰り出されてしまい、特に実釣時に於て確実な糸止め機能が維持できない欠点があった。
本発明は斯かる実情に鑑み案出されたもので、糸止めを備えたスプールに改良を加え、スプールに巻回されている釣糸（巻き終わり端部）にスプールの周方向への力が作用しても、釣糸が解けてスプールから不必要に繰り出される虞のないスピニングリールのスプールを提供することを目的とする。
【課題を解決するための手段】
【０００６】
斯かる目的を達成するため、請求項１に係る発明は、リール本体に対し前後方向へ移動可能に取り付き、リール本体に装着したハンドルの巻取り操作で回転するロータの釣糸案内部を介して、釣糸巻回胴部に釣糸が巻回されるスピニングリールのスプールに於て、上記釣糸巻回胴部の後側の鍔部の外周に環状の弾性体を装着すると共に、当該鍔部に釣糸が嵌入可能な釣糸嵌入部を設け、当該釣糸嵌入部に嵌入した釣糸を上記弾性体で弾性係止したことを特徴とする。
【０００７】
そして、請求項２に係る発明は、請求項１に記載のスピニングリールのスプールに於て、釣糸嵌入部は、鍔部に設けた貫通孔であることを特徴とし、請求項３に係る発明は、請求項１または請求項２に記載のスピニングリールのスプールに於て、鍔部の外周に周溝を設け、当該周溝に環状の弾性体を装着したことを特徴とする。
更に請求項４に係る発明は、請求項３に記載のスピニングリールのスプールに於て、周溝は、弾性体よりも幅広に形成されると共に、当該周溝に装着された弾性体をスプールとで釣糸を挟持する方向へ移動させるテーパ状に形成されていることを特徴とする。
【発明の効果】
【０００８】
各請求項に係る発明によれば、釣糸巻回胴部に巻回された釣糸の巻き終わり端部は、釣糸嵌入部に嵌入されて環状の弾性体で弾性係止されるため、釣糸にスプールの周方向の力が作用しても、釣糸が解けてスプールから不用意に繰り出されることが確実に防止できる利点を有する。
そして、請求項４に係る発明によれば、周溝内で弾性体を移動させて釣糸を釣糸嵌入部に嵌入後、テーパ作用によって弾性体が釣糸を挟持する方向へ移動して戻るため、糸止めの作業性に優れると共に、釣糸を確実に糸止めできる利点を有する。
【発明を実施するための最良の形態】
【０００９】
以下、本発明の実施形態を図面に基づいて詳細に説明する。
図１乃至図４は請求項１乃至請求項４に係る発明をショートスカートスプールを備えた投げ専用スピニングリールに適用した第一実施形態を示し、図１に於て、３５はスピニングリール３７のリール本体で、当該リール本体３５の前端にフライヤ軸（図示せず）を介してロータ３９が回転可能に軸着され、ロータ３９にはこれと一体に一対の支持アーム４１がリール本体３５の前後方向に形成されている。
【００１０】
そして、両支持アーム４１の先端に、夫々、ベール支持部材４３が釣糸巻取り位置と釣糸放出位置とに反転自在に取り付けられており、両ベール支持部材４３間に半環状のベール４５が取り付き、一方のベール支持部材４３にラインローラ（釣糸案内部）４７が回転可能に装着されている。
また、リール本体３５にはロータ３９と同軸上にスプール４９が装着されており、当該スプール４９は、リール本体３５にトラバース運動可能に取り付くスプール軸（図示せず）の先端にナットを介して螺着されている。そして、リール本体３５には釣糸巻取用のハンドル５１が装着されており、ハンドル５１のハンドル軸とロータ３９は、図示しない駆動歯車やピニオンからなる従来周知のギヤ機構を介して連繋され、また、スプール軸は、その後端部に固着した摺動子やトラバースカム軸からなるトラバース機構により、ロータ３９の回転に連動してリール本体３５の前後方向へ往復動するようになっている。
【００１１】
而して、図１に示すように上記スプール４９は、一般的なスピニングリールのスプールに比し後側鍔部（スカート部）５３が短いショートスカートスプールで、スプール４９は前側鍔部５５と、スプール前方に向かって順次小径となる正テーパ状に形成された釣糸巻回胴部５７と、当該釣糸巻回胴部５７の後側に設けられた後側鍔部５３とで構成されている。
【００１２】
そして、図１乃至図４に示すように後側鍔部５３の釣糸巻回胴部側外周には、スプール４９の前方に向かって底部５９が順次小径な正テーパ状とされた周溝６１が周方向に沿って設けられており、当該周溝６１は、後述するＯ−リング（弾性体）６３の径よりも幅広に形成されている。
更に、図２乃至図４に示すように周溝６１の底部５９には、その釣糸巻回胴部側周壁（以下、「周壁」という）６５に隣接して、互いに隣接する２個宛の円形状の貫通孔（釣糸嵌入部）６７が周溝６１の径方向へ所定間隔を空けて複数箇所に設けられている。そして、各貫通孔６７に、夫々、釣糸巻回胴部５７に巻回された釣糸６９の巻き終わり端部７１が嵌入できるようになっているが、一方の貫通孔６７を通して内側に貫通された釣糸６９の巻き終わり端部７１とロータ円筒部との接触防止や携帯性等、内側に貫通された巻き終わり端部７１を必要に応じて隣接する他方の貫通孔６７から外側に通した状態にする場合に、２個の貫通孔６７が同時に使用される。
【００１３】
そして、上記周溝６１にゴム製のＯ−リング６３が装着されており、図２に示すようにＯ−リング６３は、テーパ状に形成された底部５９のテーパ作用で周溝６１の周壁６５方向へ縮径，移動して、当該周壁６５に常時当接している。そして、図２及び図４の如く周壁６５に当接しているＯ−リング６３の一部を矢印Ａ方向（スプール４９の後方）へずらすと、Ｏ−リング６３で隠れていたその下の貫通孔６７が露出するように構成されており、釣人が斯様にＯ−リング６３を矢印Ａ方向にずらして、露出した貫通孔６７に釣糸６９の巻き終わり端部７１を嵌入した後、Ｏ−リング６３から手を離すと、Ｏ−リング６３は底部５９のテーパ作用で縮径し乍ら周壁６５側へ移動して、図４の如く当該周壁６５とで巻き終わり端部７１を弾性係止して釣糸６９の糸止めを図るようになっている。
【００１４】
また、この糸止め状態でＯ−リング６３を矢印Ａ方向にずらすと、Ｏ−リング６３と周壁６５との糸止めが解除されて、貫通孔６７から巻き終わり端部７１が容易に引き出せるようになっている。そして、この後、Ｏ−リング６３から手を離すと、再びＯ−リング６３は周溝６１の底部５９のテーパ作用で周壁６５方向へ縮径し乍ら移動して、図２の如く周壁６５に当接するようになっている。
【００１５】
本実施形態はこのように構成されているから、釣行後や釣場での移動時にスプール４９に巻回された釣糸６９を糸止めするには、釣糸６９の巻き終わり端部７１から釣針を外し、図２の如く周壁６５に当接しているＯ−リング６３の一部を矢印Ａ方向へずらしてその下の貫通孔６７を露出させた後、当該貫通孔６７に釣糸６９の巻き終わり端部７１を嵌入してＯ−リング６３から手を離せばよく、図４に示すようにＯ−リング６３は、周溝６１の底部５９のテーパ作用で縮径し乍ら周壁６５側へ移動して、当該周壁６５とで巻き終わり端部７１を弾性係止する。
【００１６】
そして、巻き終わり端部７１に釣糸繰出し方向またはスプール４９の周方向への力が作用しても、巻き終わり端部７１が貫通孔６７を貫通することで巻き終わり端部７１がスプール４９の周方向へ係止され、而も、周溝６１の底部５９のテーパ作用でＯ−リング６３が周壁６５に当接して、当該周壁６５とで巻き終わり端部７１を強固に弾性係止して、釣糸６９が解けてスプール４９から不必要に繰り出されてしまうことを防止する。
【００１７】
また、釣糸６９の糸止めを解除するには、図４の状態でＯ−リング６３を矢印Ａ方向にずらせば、Ｏ−リング６３と周壁６５とによる釣糸６９の糸止めが解除されて、貫通孔６７から巻き終わり端部７１が容易に引き出せ、この後、Ｏ−リング６３から手を離せば、再びＯ−リング６３は周溝６１の底部５９のテーパ作用で周壁６５方向へ縮径し乍ら移動して、当該周壁６５に当接することとなる。
【００１８】
このように本実施形態によれば、周溝６１内でＯ−リング６３をずらして釣糸６９の巻き終わり端部７１を貫通孔６７に嵌入した後、Ｏ−リング６３から手を離せば、周溝６１の底部５９のテーパ作用でＯ−リング６３が縮径し乍ら周壁６５方向へ移動して、当該周壁６５とで巻き終わり端部７１を強固に弾性係止するので、巻き終わり端部７１に釣糸繰出し方向またはスプール４９の周方向への力が作用しても、釣糸６９が解けてスプール４９から不必要に繰り出されてしまうことが確実に防止できることとなった。
【００１９】
而も、本実施形態によれば、周溝６１内でＯ−リング６３をずらして巻き終わり端部７１を貫通孔６７に嵌入した後、Ｏ−リング６３から手を離せばＯ−リング６３は底部５９のテーパ作用で巻き終わり端部７１を弾性係止する方向に自ら移動して戻るため、糸止めの作業性に優れ、且つテーパ作用でＯ−リング６３が周壁６５に当接して巻き終わり端部７１を強固に弾性係止するため、釣糸６９を確実に弾性係止できる利点を有する。
【００２０】
図５は請求項１乃至請求項４に係る発明の第二実施形態を示し、図中、７３はリール本体に装着されるスピニングリールのスプールで、本実施形態に係るスプール７３も、既述したスプール４９と同様、後側鍔部７５が短いショートスカートスプールで、図示しない前側鍔部と、スプール前方に向かって順次小径となる正テーパ状に形成された釣糸巻回胴部７７と上記後側鍔部７５とで構成されている。
【００２１】
而して、後側鍔部７５の釣糸巻回胴部側外周には、スプール７３の前方に向かって底部７９が順次小径な正テーパ状に形成された周溝８１が周方向に沿って設けられており、当該周溝８１は既述した周溝６１と同様、Ｏ−リング６３の径よりも幅広に形成されている。更に、上記後側鍔部７５には、その周方向に所定間隔を空けて複数個の貫通孔（釣糸嵌入部）８３が周溝８１を貫通してスプール７３の軸方向に設けられており、各貫通孔８３に、釣糸巻回胴部７７に巻回された釣糸の巻き終わり端部７１が釣糸巻回胴部側から嵌入できるようになっている。
【００２２】
そして、上記周溝８１にはＯ−リング６３が装着されており、図５に示すようにＯ−リング６３は、テーパ状に形成された周溝８１の底部７９のテーパ作用で周溝８１の釣糸巻回胴部側周壁（以下、「周壁」という）８５方向へ縮径して、当該周壁８５に常時当接するようになっている。そして、図５の二点鎖線で示すように周壁８５に当接しているＯ−リング６３の一部を矢印Ａ方向（スプール７３の後方）へずらすと、釣糸の巻き終わり端部７１が釣糸巻回胴部側から貫通孔８３内に嵌入でき、巻き終わり端部７１を貫通孔８３内に嵌入してＯ−リング６３から手を離すと、Ｏ−リング６３は、周溝８１の底部７９のテーパ作用で縮径し乍ら周壁８５方向へ移動して、貫通孔８３に嵌入された巻き終わり端部７１を径方向外方から弾性的に押圧するようになっている。
【００２３】
また、この糸止め状態でＯ−リング６３を底部７９に沿って矢印Ａ方向へずらすと、Ｏ−リング６３は底部７９に沿って順次拡径して巻き終わり端部７１に対する糸止めが解除され、貫通孔８３から巻き終わり端部７１が容易に引き出せるようになっている。そして、この後、Ｏ−リング６３から手を離すと、再びＯ−リング６３は底部７９のテーパ作用で周壁８５方向へ縮径し乍ら移動して、図５の如く当該周壁８５に当接するようになっている。
【００２４】
本実施形態はこのように構成されているから、スプール７３に巻回された釣糸を糸止めするには、釣糸の巻き終わり端部７１から釣針を外し、図５の如く周壁８５に当接しているＯ−リング６３の一部を矢印Ａ方向へずらして、釣糸の巻き終わり端部７１を釣糸巻回胴部側から貫通孔８３内に嵌入すればよい。
そして、Ｏ−リング６３から手を離すと、Ｏ−リング６３は、周溝８１の底部７９のテーパ作用で縮径し乍ら周壁８５方向へ移動して、貫通孔８３に嵌入された巻き終わり端部７１を径方向外方からスプール７３に押圧挟持することとなる。
【００２５】
このため、巻き終わり端部７１に釣糸繰出し方向またはスプール７３の周方向への力が作用しても、巻き終わり端部７１が貫通孔８３を貫通することで巻き終わり端部７１がスプール７３の周方向へ係止され、而も、周溝８１の底部７９のテーパ作用でＯ−リング６３が周壁８５に当接し乍ら、貫通孔８３に嵌入された巻き終わり端部７１を径方向外方からスプール７３に弾性的に押圧挟持して、スプール７３から不必要に釣糸が繰り出されてしまうことを防止する。
【００２６】
そして、釣糸の糸止めを解除するには、Ｏ−リング６３を矢印Ａ方向にずらせばよく、Ｏ−リング６３は底部７９に沿って順次拡径して巻き終わり端部７１に対する糸止めが解除され、貫通孔８３から巻き終わり端部７１が容易に引き出せ、この後、Ｏ−リング６３から手を離せば、再びＯ−リング６３は周溝８１の底部７９のテーパ作用で周壁８５方向へ縮径し乍ら移動して、当該周壁８５に当接することとなる。
【００２７】
従って、本実施形態によっても、図１の実施形態と同様、所期の目的を達成することが可能で、糸止めの作業性に優れ、且つテーパ作用でＯ−リング６３が巻き終わり端部７１を径方向外方からスプール７３に強固に押圧挟持するため、釣糸を確実に糸止めできる利点を有する。
図６は請求項１乃至請求項３に係る発明の一実施形態を示し、図中、８７はリール本体に装着されるスピニングリールのスプールで、本実施形態に係るスプール８７も、図１のスプール４９と同様、後側鍔部８９が短いショートスカートスプールで、図示しない前側鍔部と、スプール前方に向かって順次小径となる正テーパ状に形成された釣糸巻回胴部９１と上記後側鍔部８９とで構成されている。
【００２８】
而して、後側鍔部８９の外周には、Ｏ−リング６３が装着可能な断面半円形状の周溝９３が周方向に設けられている。そして、周溝９３の底部に、互いに隣接する２個宛の円形状の貫通孔（釣糸嵌入部）９５が周溝９３の径方向へ所定間隔を空けて複数箇所に設けられており、図示するように周溝９３に装着されたＯ−リング６３の一部を斜め後方（矢印Ｂ方向）或いは斜め前方へ引っ張ると、周溝９３内に貫通孔９５が現れるようになっている。
【００２９】
尚、このように貫通孔９５を隣接させて２個宛設けた理由は、既述した図２の貫通孔６７と同様である。
そして、釣糸巻回胴部９１に巻回されている釣糸の巻き終わり端部７１を外方から貫通孔９５に嵌入してＯ−リング６３を周溝９３に戻すと、巻き終わり端部７１がＯ−リング６３によって径方向外方から周溝９３の内周に弾性係止されるようになっている。
【００３０】
本実施形態はこのように構成されているから、スプール８７に巻回された釣糸を糸止めするには、釣糸の巻き終わり端部７１から釣針を外し、図６の如く周溝９３に装着されているＯ−リング６３の一部を矢印Ｂ方向へ引っ張って、周溝９３内に現れた貫通孔９５に巻き終わり端部７１を外方から嵌入すればよい。
そして、Ｏ−リング６３を周溝９３に戻すと、Ｏ−リング６３が巻き終わり端部７１を径方向外方から周溝９３の内周に弾性係止する。
【００３１】
このため、巻き終わり端部７１に釣糸繰出し方向またはスプール８７の周方向への力が作用しても、巻き終わり端部７１が貫通孔９５を貫通することで巻き終わり端部７１がスプール８７の周方向へ係止され、而も、Ｏ−リング６３が巻き終わり端部７１を径方向外方から周溝９３の内周に弾性係止して、釣糸が解けてスプール８７から不必要に繰り出されてしまうことを防止する。
【００３２】
そして、釣糸の糸止めを解除するには、Ｏ−リング６３を矢印Ｂ方向にずらせばよく、本実施形態によっても、図１の実施形態と同様、所期の目的を達成することが可能で、釣糸を確実に糸止めできる利点を有する。
図７は請求項１及び請求項２に係る発明の一実施形態を示し、図中、９７はリール本体に装着されるスピニングリールのスプールで、本実施形態に係るスプール９７も、図１のスプール４９と同様、後側鍔部９９が短いショートスカートスプールで、図示しない前側鍔部と、スプール前方に向かって順次小径となる正テーパ状に形成された釣糸巻回胴部１０１と上記後側鍔部９９とで構成されている。
【００３３】
そして、後側鍔部９９の後部の周縁部には、外方に突出する環状のフランジ部１０３が一体的に設けられており、当該フランジ部１０３に、ゴムで形成された断面コ字状のリング部材（弾性体）１０５が取り付けられている。
また、上記フランジ部１０３には、所定間隔を空けて貫通孔（釣糸嵌入部）１０７がスプール９７の前後方向に設けられており、通常、各貫通孔１０７はフランジ部１０３に係止したリング部材１０５で被覆されているが、図示するようにリング部材１０５の一部を径方向外方（図中、矢印Ｃ方向）へ引っ張ると、リング部材１０５で被覆されていた貫通孔１０７が現れるようになっている。
【００３４】
そして、斯様に現れた貫通孔１０７に巻き終わり端部７１を嵌入してリング部材１０５を戻せば、リング部材１０５の内周部が巻き終わり端部７１をスプール９７に弾性係止するようになっている。
本実施形態はこのように構成されているから、スプール８７に巻回された釣糸を糸止めするには、図示するようにリング部材１０５の一部を径方向外方へ引っ張り、現れた貫通孔１０７に巻き終わり端部７１を嵌入してリング部材１０５を戻せば、リング部材１０５の内周部が巻き終わり端部７１をスプール９７に弾性係止することとなる。
【００３５】
このため、巻き終わり端部７１に釣糸繰出し方向またはスプール９７の周方向への力が作用しても、巻き終わり端部７１が貫通孔１０７を貫通することで巻き終わり端部７１がスプール９７の周方向へ係止され、而も、リング部材１０５が巻き終わり端部７１を径方向外方から弾性的に押圧挟持して、スプール９７から釣糸が不必要に繰り出されることを防止する。
【００３６】
そして、釣糸の糸止めを解除するには、リング部材１０５を矢印Ｃ方向へ引っ張ればよく、本実施形態によっても、図１の実施形態と同様、所期の目的を達成することが可能で、釣糸を確実に糸止めできる利点を有する。
図８及び図９は請求項１及び請求項３の一実施形態に係り、本実施形態は図１のスプール４９に設けた貫通孔６７に代え、周溝６１を挟んだ後側鍔部５３の釣糸巻回胴部側の鍔部５３ａに、所定間隔を空けて複数個の切欠き（釣糸嵌入部）１０９をスプール４９-1の軸方向に設けたもので、当該切欠き１０９に釣糸の巻き終わり端部７１が釣糸巻回胴部側から嵌入できるようになっている。
【００３７】
尚、その他の構成は図１の実施形態と同様であるので、同一のものには同一符号を付してそれらの説明は省略する。
本実施形態はこのように構成されているから、釣糸巻回胴部５７に巻回された釣糸を糸止めするには、図９に示すようにＯ−リング６３の一部を径方向の斜め前方（図中、矢印Ｄ方向）へ引っ張って、巻き終わり端部７１を切欠き１０９に嵌入させてＯ−リング６３の下に通せばよい。
【００３８】
そして、Ｏ−リング６３から手を離すと、Ｏ−リング６３は、周溝６１の底部５９のテーパ作用で縮径し乍ら周壁６５方向へ移動して、切欠き１０９に嵌入された巻き終わり端部７１を径方向外方から底部５９に押圧することとなる。
このため、巻き終わり端部７１に釣糸繰出し方向またはスプール４９-1の周方向への力が作用しても、巻き終わり端部７１が切欠き１０９を貫通することで巻き終わり端部７１がスプール４９-1の周方向へ係止され、而も、周溝６１の底部５９のテーパ作用でＯ−リング６３が周壁６５に当接し乍ら、巻き終わり端部７１を径方向外方から底部５９に弾性的に押圧して、スプール４９-1から不必要に釣糸が繰り出されてしまうことを防止する。
【００３９】
そして、釣糸の糸止めを解除するには、Ｏ−リング６３を矢印Ｄ方向に引っ張れば、Ｏ−リング６３による巻き終わり端部７１の糸止めが解除されて巻き終わり端部７１が容易に引き出せ、この後、Ｏ−リング６３から手を離せば、再びＯ−リング６３は周溝６１の底部５９のテーパ作用で周壁６５方向へ縮径し乍ら移動して、当該周壁６５に当接することとなる。
【００４０】
従って、本実施形態によっても、図１の実施形態と同様、所期の目的を達成することが可能で、糸止めの作業性に優れ、且つテーパ作用でＯ−リング６３が巻き終わり端部７１を径方向外方からスプール４９-1に強固に押圧するため、釣糸を確実に糸止めできる利点を有する。
而も、本実施形態では、既述した各貫通孔に代えて切欠き１０９に釣糸の巻き終わり端部７１を係止する構成のため、釣糸の先端に釣針が装着されている状態でも糸止めが可能となる利点を有する。
【００４１】
尚、上述した各実施形態は、本発明を後側鍔部が短いショートスカートスプールに適用したが、後側鍔部の長い通常のスピニングリールに本発明を適用できることは勿論である。
【図面の簡単な説明】
【００４２】
【図１】請求項１乃至請求項４の第一実施形態に係るスプールを用いたスピニングリールの正面図である。
【図２】スプールに設けた糸止め構造の要部拡大図である。
【図３】スプールの断面図である。
【図４】スプールに設けた糸止め構造の要部拡大図である。
【図５】請求項１乃至請求項４の第二実施形態に係るスプールに設けた糸止め構造の要部拡大図である。
【図６】請求項１乃至請求項３の一実施形態に係るスプールに設けた糸止め構造の要部拡大図である。
【図７】請求項１及び請求項２の一実施形態に係るスプールに設けた糸止め構造の要部拡大図である。
【図８】請求項１及び請求項３の一実施形態に係るスプールに設けた糸止め構造の要部拡大図である。
【図９】請求項１及び請求項３の一実施形態に係るスプールに設けた糸止め構造の要部拡大図である。
【図１０】従来の糸止め装置を備えたスプールの正面図である。
【図１１】図１０に示す糸止め装置の断面図である。
【図１２】従来の他のスプールの正面図である。
【図１３】糸止め装置を備えた図１２のスプールの正面図である。
【符号の説明】
【００４３】
３５  リール本体
３７  スピニングリール
３９  ロータ
４９，４９-1，７３，８７，９７  スプール
５１  ハンドル
５３，７５，８９，９９  後側鍔部
５５  前側鍔部
５７，７７，９１，１０１  釣糸巻回胴部
５９，７９  底部
６１，８１，９３  周溝
６３  Ｏ−リング
６５，８５  周壁
６７，８３，９５，１０７  貫通孔
６９  釣糸
７１  巻き終わり端部
１０３  フランジ部
１０５  リング部材
１０９  切欠き
【図１】
2005151940.tif 000003
【図２】
2005151940.tif 000004
【図３】
2005151940.tif 000005
【図４】
2005151940.tif 000006
【図５】
2005151940.tif 000007
【図６】
2005151940.tif 000008
【図７】
2005151940.tif 000009
【図８】
2005151940.tif 000010
【図９】
2005151940.tif 000011
【図１０】
2005151940.tif 000012
【図１１】
2005151940.tif 000013
【図１２】
2005151940.tif 000014
【図１３】
2005151940.tif 000015